(57)【特許請求の範囲】
【請求項１】
機器キャビネット又は同等物のドアアセンブリであって：
−  所定の向きで取り付けられる、第１側端と該第１側端の反対側の第２側端とを有するドア部と、
−  前記第１側端の領域内の少なくとも２つの引き抜き可能な第１のピン、及び前記第２側端の領域内の、旋回軸を形成する少なくとも２つの第２のピンであり、当該第１のピンは、伸張状態において、前記機器キャビネットの第１の凹部に連通して、前記ドア部が前記旋回軸の周りで旋回することを防止し、引き抜き状態において、前記第１の凹部から退出して前記ドア部が前記旋回軸の周りで旋回することを可能にする、少なくとも２つの第１のピン及び少なくとも２つの第２のピンと、
−  前記ドア部の正面側に固定される固定部と、前記２つの第１のピンに機械的に結合する可動部と、を有する少なくとも１つの取手部であり、前記可動部の作動が、それに結合された前記第１のピンが前記引き抜き状態に移行することを可能にする、少なくとも１つの取手部と、
を含み、
前記ドア部及び／又は前記取手部は対称構成を有し、その結果、前記取手部を解放してそれを１８０°回転させ、且つ回転された取手部を固定することにより、当該ドアアセンブリを閉じるための機能要素が前記第１側端から前記第２側端に、またその逆に、入れ換えられることが可能である、
ドアアセンブリ。
【請求項２】
前記２つの第１のピン及び前記２つの第２のピンは、固定手段によって、前記ドア部に解放可能に接続されており、
前記固定手段は、前記第１側端から前記第２側端への前記旋回軸の変更を実行するために前記２つの第１のピンと前記２つの第２のピンとが相互に交換されることが可能なように構成されている、
ことを特徴とする請求項１に記載のドアアセンブリ。
【請求項３】
前記第１のピンは、前記伸張状態において前記第１側端の領域内の旋回軸を形成する引き抜き可能な第１のヒンジピンとして構成され、
前記第２のピンは、伸張状態において前記機器キャビネットの第２の凹部に連通して前記ドア部が前記第１側端の前記旋回軸の周りで旋回することを防止し、引き抜き状態において前記第２の凹部から退出して前記ドア部が前記第１側端の前記旋回軸の周りで旋回することを可能にする引き抜き可能な第２のヒンジピンとして構成され、
前記少なくとも１つの取手部の前記可動部は、前記２つの第１のヒンジピン又は前記２つの第２のヒンジピンと機械的に結合するように構成され、前記可動部の作動が、それに各々結合された該ヒンジピンが前記引き抜き状態に移行することを可能にする、
ことを特徴とする請求項１に記載のドアアセンブリ。
【請求項４】
前記第１及び第２のヒンジピンは各々、プッシュロッドの一部として構成され、前記第１及び第２のヒンジピンのそれぞれにおいて、前記第１側端及び第２側端の領域内で、前記プッシュロッド同士が、少なくとも１つの回転可能な結合素子によって、相互に接続され、前記結合素子は、前記ドア部の背面側から取り扱い可能であり、前記旋回軸を形成する前記プッシュロッドを引き抜くことで、開かれた前記ドア部の、前記機器キャビネットからのヒンジ留め、が解除されることを可能にする、ことを特徴とする請求項３に記載のドアアセンブリ。
【請求項５】
前記取手部は、所定の向きを有する少なくとも１つの外装要素を含み、前記外装要素は、前記取手部の前記固定部にラッチ留めされることが可能であり、その結果、ヒンジ側が変更されるとき、前記外装要素を解放してそれを前記固定部に対して１８０°回転させ、且つ回転された外装要素をラッチ留めすることにより、前記外装要素の前記所定の向きが維持されることが可能である、ことを特徴とする請求項１に記載のドアアセンブリ。
【請求項６】
前記取手部は前記ドア部にラッチ留めあるいはネジ留めされ、前記取手部のラッチ留め又はネジ留めは、前記外装要素を解放した後に解除されることが可能であり、その結果、前記ドア部のヒンジ留めを解除することなく前記取手部を回転させることが可能である、ことを特徴とする請求項５に記載のドアアセンブリ。
【発明の詳細な説明】
【技術分野】
【０００１】
本発明は、機器キャビネットのドアアセンブリ（扉の組立体）に関する。
【背景技術】
【０００２】
１９”ラックの正面扉は二者択一的に右側又は左側にヒンジで取り付けられ得る。一般的な状況によれば、顧客が、どちらのヒンジ側がより良いかを決定し、転換を行うことによって可能な限り単純にこれを実行する立場にある。
【０００３】
１つの解法は、扉を１８０°回転させて（上側を下にして）ヒンジ側を変更するものである。これの欠点は、デザイン全体（ロゴ、意匠的要素）が上下逆になることである。また、この解法は、例えば取手やドアロックなどの全ての機能的要素に関して、扉が対称的な構成を有することを必要とする。
【０００４】
別の１つの解法は、扉をその向きのままにして、（左右を入れ換えるように）全ての機能部品（ヒンジ、取手及び開放部、ドアロック）を取り付け直すものである。この解法は比較的複雑である。
独国特許出願公開第１０  ２００７  ０１２９８０号明細書は、ドア板の第１のヒンジ側に構築された第１のヒンジと、第１のヒンジ側の反対側の第２のヒンジ側に構築された第２のヒンジとを有する筐体を閉じるためのドアアセンブリを開示している。“閉鎖”、“第１のヒンジを解放”及び“第２のヒンジを解放”という３つの作動位置を有する作動素子により、第１及び第２のヒンジは上記作動素子と共に閉鎖機構を形成し、該閉鎖機構は、ドア板の一方又は双方のヒンジ側での作動素子の作動位置に応じてヒンジ又は閉鎖を形成する。
【発明の概要】
【発明が解決しようとする課題】
【０００５】
機器キャビネットのドアアセンブリ、及びドアアセンブリのヒンジ側を変更する方法が開示される。
【課題を解決するための手段】
【０００６】
本発明の第１の実施形態によれば、機器キャビネット又は同等物のドアアセンブリは、所定の向きで取り付けられる、第１側端と該第１側端の反対側の第２側端とを有するドア部を含む。ドアアセンブリは更に、第１側端の領域内の少なくとも２つの引き抜き可能な第１のピンと、第２側端の領域内の旋回軸を形成する少なくとも２つの第２のピンとを含み、第１のピンは、伸張状態において、機器キャビネットの第１の凹部に連通して、ドア部が旋回軸の周りで旋回することを防止し、引き抜き状態において、第１の凹部から退出してドア部が旋回軸の周りで旋回することを可能にする。ドアアセンブリは更に、ドア部の正面側に固定される固定部と、２つの第１のピンに機械的に結合する可動部とを有する少なくとも１つの取手部を含み、可動部の作動が、それに結合された第１のピンが引き抜き状態に移行することを可能にする。ドア部及び／又は取手部は対称構成を有し、その結果、取手部を解放してそれを１８０°回転させ、且つ回転された取手部を固定することにより、当該ドアアセンブリを閉じるための機能要素が第１側端から第２側端に、またその逆に、入れ換えられることが可能である。
【０００７】
回転対称な取手部を設けることにより、ドアアセンブリの機能要素が一方側の端部から他方側の端部に比較的簡単に切り換えられ得る。特に、取手部の可動部を左から右に切り換えることが可能であり、故に、閉鎖機構を左から右に切り換えることを単純化することが可能である。
【０００８】
有利な一実施形態によれば、２つの第１のピン及び２つの第２のピンは、固定手段によって、ドア部に解放可能に接続され、該固定手段は、第１側端から第２側端への旋回軸の変更を実行するために２つの第１のピンと２つの第２のピンとが相互に交換されることが可能なように構成される。
【０００９】
本発明の更なる一実施形態によれば、引き抜き可能なヒンジピンをドア部の両側に固定して取り付けることが提案される。固定部及び可動部を有する少なくとも１つの取手部が、ドア部の正面側に固定される。取手部の固定部は、実質的に、扉を保持したり引っ張ったりするための取手として機能する。また、可動部は、ロック又は留め具として機能し、ドア部の左端又は右端の何れかの領域で、結合されたヒンジピンが引き抜かれることを可能にする。ヒンジ方向を変更するため、ドア部及び／又は取手部は対称構成を有し、その結果、取手部を解放してそれを１８０°回転させ、且つ回転された取手部を固定することにより、ドアアセンブリのヒンジ側が左から右に、あるいはその逆に、入れ換えられることが可能である。
【００１０】
本発明の有利な実施形態が添付の請求項にて記述される。
【図面の簡単な説明】
【００１１】
以下、図面を参照して本発明を説明する。
【図１Ａ】ドアアセンブリの第１の典型的な実施形態を示す図である。
【図１Ｂ】ドアアセンブリの第１の典型的な実施形態を示す図である。
【図２】ドアアセンブリの第２の典型的な実施形態を示す図である。
【図３】ドアアセンブリの開放機構を示す図である。
【発明を実施するための形態】
【００１２】
図１Ａ及び１Ｂは、機器キャビネットのドアアセンブリの第１の典型的な実施形態を示している。ここで、図１Ａは、扉が右側でヒンジ留めされる構成のドアアセンブリの分解図を示しており、図１Ｂは、左側にヒンジ側を有するドアアセンブリの分解図を示している。
【００１３】
図１Ａ及び１Ｂに従ったドアアセンブリは、所定の向きを有するドア部１を含んでいる。ここで、ドア部１の向きは、それが受容する機能要素の位置及び構成によって、あるいはそれに代えて、ドア部１自体の構造によって、の何れかで予め定められ得る。この実施形態において、ドア部１の向きは、例えば、ドア部１の上部の飾りによって予め定められている。
【００１４】
また、このアセンブリはプッシュロッド（押し棒）システム２を含んでおり、プッシュロッドシステム２は、ドア部１の背面側に配置され、且つ図１Ａにおいてドア部１の左側に位置付けられている。さらに、このアセンブリは取手部３を含んでおり、取手部３は、ドア部１の正面のほぼ中心に配置され、且つ図示した実施形態において固定部４と可動部５と外装要素６とを有している。
【００１５】
可動部５は、取手部３の左側、すなわち、プッシュロッドシステム２が位置するドア部１の側に配置されている。それ以外は、取手部３は対称構成を有する。具体的には、ドア部１に取手部３を固定するための取手部３の固定手段は、図１Ａに矢印で指し示す取手部３のその中心点の周りでの１８０°回転に関して点対称であるように構築されている。故に、外装要素６上のブランド又はその他のデザインの向きが維持されるように、外装要素６を固定部４に対して１８０°回転させ得る。
【００１６】
図示した実施形態において、プッシュロッドシステム２は、上側のプッシュロッド７ａと、下側のプッシュロッド７ｂと、上側プッシュロッド７ａを下側プッシュロッド７ｂ及び取手部３の可動部５に結合させる結合素子８とを有している。取手部３の可動部５が引き出されると、結合素子８が固定軸に関して回転されることで上側プッシュロッド７ａ及び下側プッシュロッド７ｂがそれぞれ下方及び上方に移動され、その結果、２つの第１のピン９ａ及び９ｂが、それぞれ、上側のベアリングブロック１０ａ及び下側のベアリングブロック１０ｂから引き抜かれる。それぞれの引き抜き可能な第１のピン９ａ及び９ｂは、ドアアセンブリの閉鎖機構の部分を形成する。具体的には、それらは、筐体キャビネット（図１Ａに図示せず）の対応する筐体開口内に係合し得る。
【００１７】
反対側であるドア部１の右側の端部では、２つの第２のベアリングブロック１１ａ及び１１ｂ（図１では隠れている）が背面側に配置され、それらからそれぞれの第２のピン１２ａ及び１２ｂが下方に突き出ている。第２のベアリングブロック１１ａ及び１１ｂのピン１２ａ及び１２ｂは、図１Ａ及び１Ｂに例示した実施形態において、ドア部１の旋回軸を形成する。
【００１８】
ドア部１の左側の可動部５、及び該可動部５の結合素子８への結合の構成は、故に、可動部５が引かれるときに同時に、ドアアセンブリの左側のロックを解除し、ドア部１を右側の旋回軸の周りで旋回させて開くという作用を有する。
【００１９】
図１Ａ及び１Ｂに例示したドアアセンブリのヒンジ側を切り換えるために、すなわち、この実施形態において、旋回軸をドア部１の右側の端部から左側の端部に移し、且つ閉鎖機構をドア部の左側の端部から右側の端部に移すために、第１のベアリングブロック１０ａ及び１０ｂ並びに第２のベアリングブロック１１ａ及び１１ｂがドア部１から解放されて相互に交換される。例えば、ベアリングブロック１０ａ及び１０ｂ並びにベアリングブロック１１ａ及び１１ｂのネジ接続又はラッチ接続が解除され、ドア部１の反対側の端部に再び固定され得る。有利には、例えばネジ穴又はラッチ用突起などの、ベアリングブロック１０ａ及び１０ｂ並びにベアリングブロック１１ａ及び１１ｂを固定するために使用される固定手段は、この理由で、同じサイズ及び／又は位置を有する。
【００２０】
さらに、取手部３が、ドア部１から解放され、取手部３の可動部５を左から右に入れ換えるために１８０°回転される。そして、ひっくり返された取手部３が、例えばネジ留めあるいはラッチされて、再びドア部１に固定されると同時に、可動部５が、もはや右側の端部の領域に位置しているプッシュロッドシステム２の結合部８と嵌合される。
【００２１】
外装要素６の向きが維持されるべき場合、外装要素６は、取手部３の固定部４から解放さなければならないことに加えて、１８０°回転される。結果として、ドア部１の開く側とヒンジ側との向きが切り換えられるとともに、ドア部１自体の向きと外装要素６の向きとの双方が維持される。
【００２２】
提案に係るドアアセンブリの第２の典型的な実施形態を図２及び３に示す。
【００２３】
図２が示すドアアセンブリは、２つの二部プッシュロッドシステム２ａ及び２ｂをそれぞれドア部１の左側の端部及び右側の端部の領域に固定して組み込んだドア部１を含んでいる。ドア部１の正面側に、１８０°回転され得る取手部３が配置される。図示した実施形態において、取手部３は、３つのパーツで構築され、固定部４、可動部５及び外装要素６を有している。
【００２４】
このドアアセンブリは概して対称的である。具体的には、プッシュロッドシステム２ａ及び２ｂを受け入れる開口が、ラックなどのドア部１及びフレーム（図示せず）の両側に配設される。また、ドア部１の全ての固定用開口が対称配置され、その結果、取手部３及び全ての関連パーツは各々、１８０°回転されて取り付けられることができる。
【００２５】
図３は、このドアアセンブリの開放機構を詳細に示している。これからとりわけ明らかなように、二部プッシュロッドシステム２ａ及び２ｂは各々、上側プッシュロッド７ａと下側プッシュロッド７ｂとを有している。図２から見て取れるように、プッシュロッド７ａ及び７ｂの端部は各々、ドア部１をそれぞれ左側及び右側の旋回軸の周りで旋回させるためのヒンジピン１３ａ及び１３ｂを形成する。プッシュロッド７ａ及び７ｂは、回転可能な結合素子８によって、取手部３の領域内で互いに接続されている。
【００２６】
結合素子８を回転させると、プッシュロッド７ａ及び７ｂがヒンジピン１３ａ及び１３ｂとともに引き抜かれ、その結果、引き抜かれていない反対側のヒンジピン１３ａ及び１３ｂの周りでドア部１を旋回させて開くことが可能になる。結合素子８は、可動部５を引き出すことによって、あるいはドア部１の背面側から結合素子８を直接回転させることによって、の何れかで解放され得る。可動部５は、この目的のため、結合ピン１４によって結合素子８に結合される。この目的で、ドア部１は取手部３の領域内に開口を有し、結合素子８はスロットを有する。
【００２７】
取手部３を回転させるため、先ず外装要素６が固定部４から解放され、その結果、その背後に配置された固定部４のネジ接続又はラッチ接続をドア部１から解き放つことが可能になる。さらに、可動部５がドア部１から解放される。この実施形態において、可動部５はネジ接続又は押し込み接続によってドア部１上に保持され、これらの接続が同時に可動部５の旋回軸を形成する。固定部４及び可動部５が解放されると、双方のパーツが１８０°回転されて再びドア部１に接続され、その結果、可動部５の結合ピン１４が反対側のプッシュロッドシステム２ｂの結合素子８と嵌合し、反対側の旋回軸に沿って扉を開くことが可能になる。
【００２８】
固定部４が回転された後にも、外装要素６に取り付けられるブランド又はその他のデザインを取手部３上で正しい向きに維持するために、さらに、外装部６は、固定部４に対して１８０°回転されて固定部４に留められなければならない。
【００２９】
ヒンジ側が左から右に転換されるとき、ドア部１自体及び外装要素６の双方の意匠的要素の向きが維持される。
【００３０】
上述の機構は、ドア部１のヒンジ側を左から右に、またその逆に、簡単なやり方で転換することを可能にする。
【００３１】
また、第２の典型的な実施形態によるドア部１はまた、例えば、ドア部が左側で開かれた後に、背面側から結合素子８を回転させることによって、ヒンジピン１３ａ及び１３ｂとして作用する右側のプッシュロッド７ａ及び７ｂをも引き抜くという簡単なやり方で、そのヒンジから取り外され得る。
【符号の説明】
【００３２】
１    ドア部
２    プッシュロッドシステム
３    取手部
４    固定部
５    可動部
６    外装要素
７    プッシュロッド
８    結合素子
９    第１のピン
１０  第１のベアリングブロック
１１  第２のベアリングブロック
１２  第２のピン
１３  ヒンジピン
１４  結合ピン
【図１Ａ】
0005554448.tif 000002
【図１Ｂ】
0005554448.tif 000003
【図２】
0005554448.tif 000004
【図３】
0005554448.tif 000005